(57)【要約】【課題】付箋が貼り付けられた用紙をより確実に読み取ることができる自動読取給紙装置及び複写撮影装置を提供する。【解決手段】複写撮影装置１００に、給紙トレイ１により給紙された申請書の厚みを申請書の所定方向の始端から終端までの所定箇所を含む検出範囲の厚みを検出する厚み検出手段（厚みセンサ２,ＣＰＵ１３,厚み検出プログラム１５Ｂ）と、厚み検出手段により検出された申請書の厚みが１枚分の厚みより大きい部分の厚み検出手段による検出範囲に占める割合が所定割合以上か否かを判断することにより、申請書が複数枚取りされたか否かを判断する判断手段（ＣＰＵ１３,判断プログラム１５Ｃ）と、判断手段により、申請書が複数枚取りされたと判断された場合に、申請書を搬送する搬送駆動部８を停止させる搬送制御手段（ＣＰＵ１３搬送制御プログラム１５Ｄ）と、を備えた。【選択図】図２
2007308223.tif 000002
【特許請求の範囲】
【請求項１】
用紙を給紙する給紙部と、前記給紙部により給紙される前記用紙に記録された情報を読み取る読取部と、を備える自動読取給紙装置において、
前記給紙部により給紙された用紙の所定方向の始端から終端までの所定箇所を含む検出範囲の厚みを検出する厚み検出手段と、
前記厚み検出手段により検出された用紙の厚みが予め設定された１枚分の厚みより大きい部分の前記厚み検出手段による前記検出範囲に占める割合が所定割合以上か否か、又は、前記厚み検出手段により検出された用紙の厚みが予め設定された１枚分の厚みより大きい部分の範囲の大きさが所定数値以上か否かを判断することにより、用紙が複数枚取りされたか否かを判断する判断手段と、
前記判断手段により、用紙が複数枚取りされたと判断された場合に、前記用紙を搬送する搬送手段を停止させる搬送制御手段と、
を備えることを特徴とする自動読取給紙装置。
【請求項２】
前記厚み検出手段により検出された用紙の厚みが前記１枚分の厚みより大きい所定の規定値以上である場合に、前記用紙を前記読取部に搬送しないで排除用紙収納部へ搬送する用紙排除手段を備えることを特徴とする請求項１に記載の自動読取給紙装置。
【請求項３】
前記給紙部により前記用紙を自動給紙させる自動給紙モードと前記用紙を１枚ずつ手差しで給紙する手動モードとの何れか一方を選択する選択信号を入力するための選択手段を備え、
前記判断手段は、前記選択手段により前記自動給紙モードを選択する選択信号が入力された場合に実行することを特徴とする請求項１又は２に記載の自動読取給紙装置。
【請求項４】
ＩＤカード発行の申請書を給紙する給紙部と、前記給紙部により給紙される前記申請書に記録された情報を読み取る読取部と、前記申請書に貼付された顔写真を撮影する撮影部と、を備える複写撮影装置において、
前記給紙部により給紙された申請書の所定方向の始端から終端までの所定箇所を含む検出範囲の厚みを検出する厚み検出手段と、
前記厚み検出手段により検出された申請書の厚みが予め設定された１枚分の厚みより大きい部分の前記厚み検出手段による前記検出範囲に占める割合が所定割合以上か否か、又は、前記厚み検出手段により検出された用紙の厚みが予め設定された１枚分の厚みより大きい部分の範囲の大きさが所定数値以上か否かを判断することにより、申請書が複数枚取りされたか否かを判断する判断手段と、
前記判断手段により、用紙が複数枚取りされたと判断された場合に、前記申請書を搬送する搬送手段を停止させる搬送制御手段と、
を備えることを特徴とする複写撮影装置。
【発明の詳細な説明】
【技術分野】
【０００１】
本発明は、自動読取給紙装置及び複写撮影装置にかかるものである。
【背景技術】
【０００２】
従来、社員証や各種免許証等のＩＤカードを発行する際には、複写撮影装置において、申請書に記載されたＩＤ番号が読み取られ、申請書に貼付された顔写真が撮影されるとともに、当該申請書のイメージ画像がスキャナにより読み取られる。そして、撮影された顔写真はＩＤ発行装置に送信され、読み取られた申請書のイメージ画像はファイルサーバに送信されて記憶保管される。
複写撮影装置においては、申請書を１枚ずつ給紙するオートフィーダを備えるものも知られている（例えば、特許文献１）。また、複写撮影装置の搬送経路の上流に備えられ、搬送される申請書に光を照射して透過する光の透過値を検出することによって、オートフィーダが誤って２枚の申請書を給紙してしまったことを検出するセンサーを備えるものも知られている。
【特許文献１】特開平８−９９４８７号公報
【発明の開示】
【発明が解決しようとする課題】
【０００３】
しかしながら、複写撮影を行う現場では、申請書に付箋を貼り付ける習慣があり、付箋が貼り付けられた申請書を複写撮影装置に読み取らせようとする際、２枚取りとして検出されてしまい、エラーとなってしまうという問題があった。
【０００４】
本発明の課題は、付箋が貼り付けられた用紙をより確実に読み取ることができる自動読取給紙装置及び複写撮影装置を提供することである。
【課題を解決するための手段】
【０００５】
請求項１に記載の発明は、用紙を給紙する給紙部と、前記給紙部により給紙される前記用紙に記録された情報を読み取る読取部と、を備える自動読取給紙装置において、
前記給紙部により給紙された用紙の所定方向の始端から終端までの所定箇所を含む検出範囲の厚みを検出する厚み検出手段と、
前記厚み検出手段により検出された用紙の厚みが予め設定された１枚分の厚みより大きい部分の前記厚み検出手段による前記検出範囲に占める割合が所定割合以上か否か、又は、前記厚み検出手段により検出された用紙の厚みが予め設定された１枚分の厚みより大きい部分の範囲の大きさが所定数値以上か否かを判断することにより、用紙が複数枚取りされたか否かを判断する判断手段と、
前記判断手段により、用紙が複数枚取りされたと判断された場合に、前記用紙を搬送する搬送手段を停止させる搬送制御手段と、
を備えることを特徴としている。
【０００６】
請求項２に記載の発明は、請求項１に記載の自動読取給紙装置において、
前記厚み検出手段により検出された用紙の厚みが前記１枚分の厚みより大きい所定の規定値以上である場合に、前記用紙を前記読取部に搬送しないで排除用紙収納部へ搬送する用紙排除手段を備えることを特徴としている。
【０００７】
請求項３に記載の発明は、請求項１又は２に記載の自動読取給紙装置において、
前記給紙部により前記用紙を自動給紙させる自動給紙モードと前記用紙を１枚ずつ手差しで給紙する手動モードとの何れか一方を選択する選択信号を入力するための選択手段を備え、
前記判断手段は、前記選択手段により前記自動給紙モードを選択する選択信号が入力された場合に実行することを特徴としている。
【０００８】
請求項４に記載の発明は、ＩＤカード発行の申請書を給紙する給紙部と、前記給紙部により給紙される前記申請書に記録された情報を読み取る読取部と、前記申請書に貼付された顔写真を撮影する撮影部と、を備える複写撮影装置において、
前記給紙部により給紙された申請書の所定方向の始端から終端までの所定箇所を含む検出範囲の厚みを検出する厚み検出手段と、
前記厚み検出手段により検出された申請書の厚みが予め設定された１枚分の厚みより大きい部分の前記厚み検出手段による前記検出範囲に占める割合が所定割合以上か否か、又は、前記厚み検出手段により検出された用紙の厚みが予め設定された１枚分の厚みより大きい部分の範囲の大きさが所定数値以上か否かを判断することにより、申請書が複数枚取りされたか否かを判断する判断手段と、
前記判断手段により、申請書が複数枚取りされたと判断された場合に、前記申請書を搬送する搬送手段を停止させる搬送制御手段と、
を備えることを特徴としている。
【発明の効果】
【０００９】
請求項１に記載の発明によれば、用紙に付箋が貼り付けられていても複数枚取りと判断されずに済むこととなって、付箋が貼り付けられた用紙をより確実に読み取ることができる。
【００１０】
請求項２に記載の発明によれば、請求項１に記載の発明と同様の効果が得られるの勿論のこと、特に、搬送の障害となるような厚みの厚い用紙が給紙されても、読取部まで搬送されずに排除用紙収納部へ排除されることとなって、搬送障害を防ぐことができる。
【００１１】
請求項３に記載の発明によれば、請求項１又は２に記載の発明と同様の効果が得られるの勿論のこと、特に、手動モードにおいて無駄に複数枚取りの判断を行わずに済み、効率が良い。
【００１２】
請求項４に記載の発明によれば、申請書に付箋が貼り付けられていても複数枚取りと判断されずに済むこととなって、付箋が貼り付けられた申請書をより確実に読み取ることができる。
【発明を実施するための最良の形態】
【００１３】
以下、図面を参照して本発明の最良の形態について詳細に説明する。ただし、発明の範囲は、図示例に限定されない。また、限定的な表現をする場合があるが、これに限られるものではない。
【００１４】
本発明に係る複写撮影装置１００は、例えば、図１，図２に示すように、給紙トレイ１，厚みセンサ２，切替駆動部３，切替弁４，ＩＤ番号読取部５，撮影部６，スキャナ７，搬送駆動部８，複数の搬送ローラＲ，・・・，入力部９，リジェクトトレイ１０，排紙トレイ１１，制御部１２等を備えている。
【００１５】
給紙トレイ１は、例えば、オートフィーダ機能等を備えて構成され、ＩＤカード発行の申請書（用紙）を複写撮影装置１００に供給し、給紙部として機能する。
【００１６】
厚みセンサ２は、例えば、ＣＰＵ１３が後述する厚み検出プログラム１５Ｂを実行することにより制御され、給紙トレイ１から給紙された申請書の所定方向の始端から終端までの所定箇所を含む検出範囲の厚みを検出する。より具体的には、厚みセンサ２は、例えば、光センサ等を備えて構成され、給紙トレイ１から供給された申請書の搬送方向の始端から終端までの検出範囲に対して光を照射し、当該申請書を透過する光の透過率を検出することにより当該申請書の厚みを検出し、厚み検出手段の一部として機能する。厚みセンサ２により検出された透過率は、ＣＰＵ１３に出力される。
【００１７】
切替駆動部３は、例えば、ＣＰＵ１３が後述する切替制御プログラム１５Ａを実行することにより制御されて、切替弁４を駆動して、給紙トレイ１から搬送される申請書をリジェクトトレイ１０へと搬送し、用紙排除手段の一部として機能する。
【００１８】
ＩＤ番号読取部５は、例えば、バーコードリーダや、スキャナ、光学式文字読取装置（ＯＣＲ装置）、磁気読取装置等を備えて構成され、申請書に印字されているＩＤ番号等を読み取る。
【００１９】
撮影部６は、例えば、デジタルカメラ（図示省略）等を備えて構成され、申請書に貼付された顔写真を撮影して、顔画像データを取得する。
【００２０】
スキャナ７は、例えば、申請書を走査して、当該申請書の記載内容に関する情報を光学的に読み取って、申請書の申請書イメージデータを取得し、読取部として機能する。
【００２１】
搬送駆動部８は、例えば、ＣＰＵ１３が、後述する搬送制御プログラム１５Ｄを実行することにより制御されて、申請書を搬送する搬送経路Ｈに設けられた複数の搬送ローラＲ，・・・を駆動することにより、当該申請書を搬送し、搬送手段として機能する。
【００２２】
入力部９は、各種の操作ボタン,カーソルキー等を備え、各種の操作信号をＣＰＵ１３に出力する。より具体的には、入力部９は、給紙トレイ１により申請書を自動給紙させる自動給紙モードと、申請書を１枚ずつ手差しで給紙する手動モードとを選択する選択信号をＣＰＵ１３に入力し、選択手段として機能する。
【００２３】
リジェクトトレイ１０は、切替駆動部３及び切替弁４により搬送された申請書を収納し、排除用紙収納部として機能する。
【００２４】
排紙トレイ１１は、搬送経路Ｈの終端に設けられ、搬送経路Ｈに沿って備えられたＩＤ番号読取部５，撮影部６，スキャナ７により処理されて排出される申請書を収納する。
【００２５】
制御部１２は、例えば、図２に示すように、ＣＰＵ（Central  Processing  Unit）１３，ＲＡＭ（Random  Access  Memory）１４，記憶部１５等を備えて構成されている。
【００２６】
ＣＰＵ１３は、例えば、記憶部１５に格納された処理プログラム等を読み出して、ＲＡＭ１４に展開して実行することにより、複写撮影装置１００全体の制御を行う。
【００２７】
ＲＡＭ１４は、例えば、ＣＰＵ１３により実行された処理プログラム等を、ＲＡＭ１４内のプログラム格納領域に展開するとともに、入力データや上記処理プログラムが実行される際に生じる処理結果等をデータ格納領域に格納する。
【００２８】
記憶部１５は、例えば、プログラムやデータ等が予め記憶されている記録媒体（図示せず）を有しており、この記録媒体は、例えば、半導体メモリ等で構成されている。また、記憶部１５は、ＣＰＵ１３が複写撮影装置１００全体を制御する機能を実現させるための各種データ，各種処理プログラム，これらプログラムの実行により処理されたデータ等を記憶する。より具体的には、記憶部１５は、例えば、図２に示すように、切替制御プログラム１５Ａ，厚み検出プログラム１５Ｂ，判断プログラム１５Ｃ，搬送制御プログラム１５Ｄ等を格納している。
【００２９】
切替制御プログラム１５Ａは、例えば、ＣＰＵ１３に、厚みセンサ２から入力された透過率に基づいて、厚みセンサ２により検出された申請書の厚みが予め設定された１枚分の厚みより大きい所定の規定値以上か否かを判断し、厚みセンサ２により検出された申請書の厚みが当該所定の規定値以上であると判断した場合に、切替駆動部３を制御して、切替弁４を駆動させ、給紙トレイ１から搬送される申請書をリジェクトトレイ１０へと搬送させる機能を実現させるプログラムである。ＣＰＵ１３は、かかる切替制御プログラム１５Ａを実行することにより、用紙排除手段の一部として機能する。
【００３０】
厚み検出プログラム１５Ｂは、例えば、ＣＰＵ１３に、申請書の大きさ及び搬送速度等から、当該申請書が厚みセンサ２の前を通過するのに要する時間を決定し、当該時間の間、厚みセンサ２に当該申請書の透過率を検出させることにより、当該申請書の厚みを検出する機能を実現させるプログラムである。ＣＰＵ１３は、かかる厚み検出プログラム１５Ｂを実行することにより、厚み検出手段の一部として機能する。
【００３１】
判断プログラム１５Ｃは、例えば、ＣＰＵ１３に、厚みセンサ２から入力される透過率が申請書１枚分の透過率より低い部分の厚みセンサ２による検出範囲に占める割合が所定割合以上か否か、又は、厚みセンサ２から入力される透過率が申請書１枚分の透過率より低い部分の範囲の大きさ（長さ又は面積）が所定数値以上か否かを判断することにより、申請書が複数枚取りされたのか、申請書に付箋が付されているのかを判断する機能を実現させるプログラムである。ＣＰＵ１３は、かかる判断プログラム１５Ｃを実行することにより、判断手段として機能する。
【００３２】
搬送制御プログラム１５Ｄは、例えば、ＣＰＵ１３に、判断プログラム１５Ｃを実行することにより、申請書が複数枚取りされたと判断した場合には、搬送駆動部８を停止させ、当該申請書の搬送を停止させるとともに、申請書が複数枚取りされていないと判断した場合には、搬送駆動部８を制御して、当該申請書を排紙トレイ１１へ搬送させる機能を実現させるプログラムである。ＣＰＵ１３は、かかる搬送制御プログラム１５Ｄを実行することにより、搬送制御手段として機能する。
【００３３】
次に、上述のような構成の複写撮影装置１００における複写撮影動作の一例を図３に示すフローチャートを参照しながら説明する。
【００３４】
まず、ＣＰＵ１３は、切替制御プログラム１５Ａを実行することにより、厚みセンサ２から入力された透過率に基づいて、厚みセンサ２により検出された申請書の厚みが予め設定された１枚分の厚みより大きい所定の規定値以上か否かを判断する（ステップＳ１）。
【００３５】
ステップＳ１において、ＣＰＵ１３が、厚みセンサ２により検出された申請書の厚みが予め設定された１枚分の厚みより大きい所定の規定値以上であると判断した場合には（ステップＳ１；Ｙｅｓ）、ＣＰＵ１３は、切替制御プログラム１５Ａの実行に基づいて、切替駆動部３を制御して、切替弁４を駆動させ、給紙トレイ１から給紙される申請書をリジェクトトレイ１０へと搬送させる（ステップＳ２）。
【００３６】
ステップＳ１において、ＣＰＵ１３が、厚みセンサ２により検出された申請書の厚みが予め設定された１枚分の厚みより大きい所定の規定値以上ではないと判断した場合には（ステップＳ１；Ｎｏ）、ＣＰＵ１３は、入力部９から、自動給紙モードを選択する選択信号と、手動モードを選択する選択信号のどちらが入力されているかにより、手動モードが選択されているか否かを判断する（ステップＳ３）。
【００３７】
ステップＳ３において、ＣＰＵ１３が、手動モードが選択されていると判断した場合には（ステップＳ３；Ｙｅｓ）、ＣＰＵ１３ステップＳ４における複数枚取り判断処理を行わず、ステップＳ６へ進む。
【００３８】
ステップＳ３において、ＣＰＵ１３が、手動モードが選択されていないと判断した場合には（ステップＳ３；Ｎｏ）、ＣＰＵ１３は、判断プログラム１５Ｃを実行することにより、厚みセンサ２から入力される透過率が申請書１枚分の透過率より低い部分の厚みセンサ２による検出範囲に占める割合が所定割合以上か否か、又は、厚みセンサ２から入力される透過率が申請書１枚分の透過率より低い部分の範囲の大きさ（長さ又は面積）が所定数値以上か否かを判断することにより、申請書が複数枚取りされたのか否かを判断する（ステップＳ４）。
【００３９】
ステップＳ４において、ＣＰＵ１３が、厚みセンサ２から入力される透過率が申請書１枚分の透過率より低い部分の厚みセンサ２による検出範囲に占める割合が所定割合以上、又は、厚みセンサ２から入力される透過率が申請書１枚分の透過率より低い部分の範囲の大きさが所定数値以上であり、申請書が複数枚取りされたと判断した場合には（ステップＳ４；Ｙｅｓ）、ＣＰＵ１３は、搬送制御プログラム１５Ｄを実行することにより、搬送駆動部８を停止させ、当該申請書の搬送を停止させる（ステップＳ５）。
【００４０】
ステップＳ４において、ＣＰＵ１３が、厚みセンサ２から入力される透過率が申請書１枚分の透過率より低い部分の厚みセンサ２による検出範囲に占める割合が所定割合より小さく、又は、厚みセンサ２から入力される透過率が申請書１枚分の透過率より低い部分の範囲の大きさが所定数値より小さく、申請書が複数枚取りされていないと判断した場合には（ステップＳ４；Ｎｏ）、ＣＰＵ１３は、搬送制御プログラム１５Ｄを実行することにより、搬送駆動部８を制御して、当該申請書をＩＤ番号読取部５,撮影部６,スキャナ７へ搬送した後、排紙トレイ１１へ搬送させる（ステップＳ６）。
【００４１】
以上に説明した、本実施形態に係る複写撮影装置１００によれば、ＣＰＵ１３が厚み検出プログラム１５Ｂを実行して厚みセンサ２を制御することにより、給紙トレイ１によって給紙された申請書の所定方向の始端から終端までの所定箇所を含む検出範囲の厚みが検出され、ＣＰＵ１３が判断プログラム１５Ｃを実行することにより、厚みセンサ２によって検出された申請書の厚みが予め設定された１枚分の厚みより大きい部分の厚みセンサ２による検出範囲に占める割合が所定割合以上か否か、又は、厚みセンサ２によって検出された申請書の厚みが予め設定された１枚分の厚みより大きい部分の範囲の大きさが所定数値以上か否かを判断することにより、申請書が複数枚取りされたか否かが判断され、ＣＰＵ１３が搬送制御プログラム１５Ｄを実行することにより、判断プログラム１５Ｃを実行することによって申請書が複数枚取りされたと判断した場合に、申請書を搬送する搬送駆動部８が停止されるので、申請書に付箋が貼り付けられていても複数枚取りと判断されずに済むこととなって、付箋が貼り付けられた申請書をより確実に読み取ることができる。
【００４２】
また、ＣＰＵ１３が切替制御プログラム１５Ａを実行することにより、厚みセンサ２によって検出された申請書の厚みが予め設定された１枚分の厚みより大きい所定の規定値以上である場合に、申請書がスキャナ７に搬送されないでリジェクトトレイ１０へ搬送されるので、搬送の障害となるような厚みの厚い申請書が給紙されても、スキャナ７まで搬送されずにリジェクトトレイ１０へ排除されることとなって、搬送障害を防ぐことができる。
【００４３】
また、入力部９により、給紙トレイ１によって申請書を自動給紙させる自動給紙モードと申請書を１枚ずつ手差しで給紙する手動モードとの何れか一方を選択する選択信号が入力され、ＣＰＵ１３は、判断プログラム１５Ｃを、選択手段により自動給紙モードを選択する選択信号が入力された場合に実行するので、手動モードにおいて無駄に複数枚取りの判断を行わずに済み、効率が良い。
【００４４】
なお、給紙トレイ１が複数枚取りした場合に、申請書がリジェクトトレイ１０に搬送されるように制御されてもよい。
また、厚みセンサ２は、搬送方向と直交し且つ申請書と平行な方向に複数配列されてもよいし、厚みセンサ２は、搬送方向と直交する方向に移動可能に備えられて、申請書が搬送される際に搬送方向と直交する方向に移動されることにより、当該申請書の一の角部から当該一の角部に対向する角部に向かう斜め方向に沿って厚みを検出するように構成してもよい。
【図面の簡単な説明】
【００４５】
【図１】本発明に係る複写撮影装置の概略構成図である。
【図２】本発明に係る複写撮影装置の構成の一例を示すブロック図である。
【図３】本発明に係る複写撮影装置における複写撮影動作の一例を説明するフローチャートである。
【符号の説明】
【００４６】
１  給紙トレイ（給紙部）
２  厚みセンサ（厚み検出手段）
３  切替駆動部（用紙排除手段）
７  スキャナ（読取部）
８  搬送駆動部（搬送手段）
９  入力部（選択手段）
１０  リジェクトトレイ（排除用紙収納部）
１３  ＣＰＵ（用紙排除手段,厚み検出手段,判断手段,搬送制御手段）
１５Ａ  切替制御プログラム（用紙排除手段）
１５Ｂ  厚み検出プログラム（厚み検出手段）
１５Ｃ  判断プログラム（判断手段）
１５Ｄ  搬送制御プログラム（搬送制御手段）
１００  複写撮影装置（自動読取給紙装置）
【図１】
2007308223.tif 000003
【図２】
2007308223.tif 000004
【図３】
2007308223.tif 000005